(57)【要約】【課題】既往の敷設ＰＥ給水管内に溜まった老廃物を除去・洗浄し、再生する技術を提供する。【解決手段】水道メーターを取外した止水栓１４の出口側に、排出管１６を設けた減圧筒１７を取付け、該減圧筒１７の後端に送込みローラー１８を取付け、この送込みローラー１８により先端に回転ブラシを取付けた可撓回転軸をＰＥ給水管１１の分岐点まで送込み、上記回転ブラシを回転させながら可撓回転軸を引き抜き、次いで、送込みローラー１８により、先端に回転ノズル３０を取付けた可撓高圧管３１に、高圧水を供給しながらＰＥ給水管１１の分岐点まで送込み・引き抜くことによりＰＥ給水管１１内の老廃物を除去・洗浄するものである。【選択図】  図８
2004267895.tif 000002
【特許請求の範囲】
【請求項１】
水道メーターを取外した止水栓の出口側に、排出管を設けた減圧筒を取付け、該減圧筒の後端に送込みローラーを取付け、該送込みローラーにより、先端に回転ブラシを取付けた可撓回転軸をポリエチレン給水管の分岐点まで送込み、上記回転ブラシを回転させながら可撓回転軸を引き抜き、次いで、送込みローラーにより、先端にノズルを取付けた可撓高圧管に、高圧水を供給しながらポリエチレン給水管の分岐点まで送込み、引き抜くことによりポリエチレン給水管内の老廃物を除去・洗浄するポリエチレン給水管の再生法。
【請求項２】
上記止水栓は、ボールバルブであり、上記排出管を設けた減圧筒の断面積は、ポリエチレン給水管の断面積の５倍以上であり、上記減圧筒の後端に、上記可撓回転軸と上記可撓高圧管の外径と同一の内径を有するニップルを着脱可能にしたものとする請求項１に記載のポリエチレン給水管の再生法。
【請求項３】
上記可撓回転軸の先端に付設される回転ブラシは、その外径をポリエチレン給水管の内径より小さくし、その材質を金属ワイヤとする請求項１または２に記載のポリエチレン給水管の再生法。
【発明の詳細な説明】
【０００１】
【発明の属する技術分野】
この発明は上水道の配水管（本管）から給水先へ延びる給水管、とりわけ敷設後長年月経過したポリエチレン（以下、ＰＥという）を材料とする給水管の内面に生ずる老廃物を除去・再生する技術に関する。
【０００２】
【従来の技術】
配水管から需要家（以下、給水先という）へ延びる給水管として、古くは、鉛管が使用されてきたが鉛の溶出とその害が指摘され、それに代わるものとしてポリエチレン給水管（以下、ＰＥ給水管という）が採用されて１０年余り経過した。
【０００３】
ＰＥは耐水性に優れていると考えられていたが、実際には僅かに吸水し、高圧電力ケーブルの絶縁体において、水トリーが発生し絶縁破壊に至るとの報告もある。
【０００４】
また、水道水の水質基準により遊離残留塩素で１ｌ当たり０．１ｍｇ以上、結合残留塩素で１ｌ当たり０．４ｍｇ以上の注入が要求されている。
【０００５】
塩素は激しい酸化力で滅菌効果を発揮するが、その反面、ＰＥの表面を侵食する恐れがある。
【０００６】
【発明が解決しようとする課題】
実際、敷設後１０年余り経過したＰＥ給水管の内面には水泡が発生し、それが成長して剥落し、剥落したものが水道メーターのストレーナーに詰まり、水道メーターの機能を阻害し、給水能力を低下させたり、水質の低下を招いたりしている。
【０００７】
上記の状況に鑑みこの発明は、既往の敷設ＰＥ給水管内に溜まった老廃物を除去・洗浄し、再生する技術を提供することを課題とする。
【０００８】
【課題を解決するための手段】
上記課題を解決するためにこの発明は、水道メーターを取外した止水栓の出口側に、排出管を設けた減圧筒を取付け、該減圧筒の後端に送込みローラーを取付け、該送込みローラーにより、先端に回転ブラシを取付けた可撓回転軸をＰＥ給水管の分岐点まで送込み、上記回転ブラシを回転させながら可撓回転軸を引き抜き、次いで、送込みローラーにより、先端に回転ノズルを取付けた可撓高圧管に、高圧水を供給しながらＰＥ給水管の分岐点まで送込み・引き抜くことによりＰＥ給水管内の老廃物を除去・洗浄するもの（請求項１）であり、上記止水栓は、ボールバルブであり、上記排出管を設けた減圧筒の断面積は、ＰＥ給水管の断面積の５倍以上であり、上記減圧筒の後端に、上記可撓回転軸と上記可撓高圧管の外径と同一の内径を有するニップルを着脱可能にした（請求項２）ものであり、上記可撓回転軸の先端に付設される回転ブラシは、その外径をＰＥ給水管の内径より小さくし、その材質を金属ワイヤとした（請求項３）ものである。
【０００９】
上記の如く構成するこの発明によれば、回転ブラシを回転させながら可撓回転軸を引き抜くときにＰＥ給水管の内面に傷を付けることなく老廃物が剥し落とされ、次いで、先端に回転ノズルを取付けた可撓高圧管に高圧水を供給しながら、該可撓高圧管を送込むことにより、剥し落とされた老廃物が洗浄・排出され、ＰＥ給水管は再生される。
【００１０】
また、上記操作の際、減圧筒を介して、送込みローラーにより給水管内に可撓回転軸および可撓高圧管が送込み・引き抜かれるので漏水を最小限にすることができ、操作が容易になり、老廃物を含む汚水は排出管を経て排出される。
【００１１】
【発明の実施の形態】
次にこの発明の実施の形態を、図面を参照しながら説明する。図１は、配水管から給水先までの給水管の敷設状況を示す断面図で、配水管１０から分岐したＰＥ給水管１１は給水先１２まで延びている。給水先１２の屋敷内では、枡１３の中に止水栓１４と水道メーター１５が設置され、水道メーター１５から台所、風呂、便所などの要所に配管される。
【００１２】
ＰＥ給水管１１内の老廃物の除去・洗浄作業は、図２に示すように先ず、枡１３を開いて止水栓１４（ボールバルブ）を閉じ水道メーター１５を取外し、その部分に排出管１６を設けた減圧筒１７を接続し、図３に示すように減圧筒１７の端に可撓回転軸、可撓高圧管を給水管内に送込む、送込みローラー１８を取付ける。
【００１３】
ここで排出管１６を設けた減圧筒１７は、図４に示すように排出管１６を含む減圧筒１７の断面積を、ＰＥ給水管１１の断面積の５倍以上とし、その端の内径は、ＰＥ給水管１１の内径に合わせ、端部に螺合されるニップル１７ｎの内径ｄは、装入される可撓回転軸、可撓高圧管の外径に合わせて漏水を最小限にしてある（装入される可撓回転軸、可撓高圧管の外径が変わるときはニップルを取り替える）。
【００１４】
また、上記送込みローラー１８は、図５（ａ），（ｂ）のように、減圧筒１７の端への取付け手段１９と、この取付け手段１９に一体のブラケット２０と、このブラケット２０にピン２１を介して揺動可能のアーム２２と、このアーム２２の中間に取付けられたピンチローラー２３と、上記アーム２２の端に設けられたピンチローラー２３の挟持力調整手段２４とからなっている。なお、上記挟持力調整手段は、片方のアームの端に設けたピンに揺動自在にロッドを取付け、他方のアームの端に上記ロッドの自由端をわたし（スプリングを介在させてもよい）蝶ネジで締め付け調整するものである。また、上記ピンチローラー２３にはハンドル２５が付設されている。
【００１５】
既設のＰＥ給水管１１の長さを測るために、例えば１ｍｍφのピアノ線２６を、その先端がＰＥ給水管の分岐点（分水栓２７）に突き当たるまで送込み、ピンチローラー２３の位置でマークを付けて引き抜きＰＥ給水管１１の長さを測定する。
【００１６】
図６（ａ），（ｂ）に示すように上記送込みローラー１８により、先端に回転ブラシ２８を取付けたＰＥ給水管１１の長さの可撓回転軸２９を送込み、先端がＰＥ給水管１１の分岐点まで届いたところで、可撓回転軸２９と共に回転ブラシ２８を回転させながら引き抜く。このときＰＥ給水管１１内の老廃物が剥ぎ取られ、大半は減圧筒１７の排出管１６を経て排出される。
【００１７】
ここでＰＥ給水管１１の内径と同一または僅かに大きい外径のワイヤブラシを使用すると内面に深い疵が残ったので、プラスチックまたは棕櫚などの天然繊維のブラシを使用したところ老廃物の剥落が不十分であった。
【００１８】
上記問題を検討したところ、可撓回転軸２９が回転するとき先端が振り回されて金属ワイヤの回転ブラシ２８の実質作用外径が大きくなることが分かった。従って図７（ａ），（ｂ）のように、ＰＥ給水管１１の内径より小さい金属ワイヤの回転ブラシ２８にするとＰＥ給水管１１の内面に適度に、かつ万遍に接し、内面を傷めず老廃物を効果的に剥ぎ取ることができることが分かった。
【００１９】
次に、図８（ａ），（ｂ）のように先端に回転ノズル３０を設けた可撓高圧管３１に高圧水を供給しながら上記送込みローラー１８で送込む。回転ノズル３０は、図９に示すように可撓高圧管３１の先端に基体３２を取付け、この基体３２の段部３３に螺旋状噴出孔３４を設けた筒体３５を嵌め、基体３２の中心軸３６に段部３７を形成した座金３８を被嵌して上記筒体３５を回転可能に支持し、ダブルナット３９で固定してなる。
【００２０】
上記回転ノズル３０を設けた可撓高圧管３１に高圧水を供給しながら送込むと噴出水の反力により回転ノズル３０が回転しながら高圧水をＰＥ給水管１１内に噴出し残った老廃物は完全に洗い落とされる。なお、この実施形態では回転ノズルを用いたが、噴出孔を多くしてＰＥ給水管の内面全体に高圧水を噴出するようにすれば非回転ノズルでもよい。
【００２１】
ＰＥ給水管１１内の老廃物４０の除去・洗浄が完了すると、送込みローラー１８および減圧筒１７を外し、水道メーター１５を元に戻して管の接続を行って作業は終了する。
【００２２】
【発明の効果】
以上説明した通りこの発明によれば、回転ブラシを回転させながら可撓回転軸を引き抜くときにＰＥ給水管の内面に傷を付けることなく老廃物が剥し落とされ、次いで、先端に回転ノズルを取付けた可撓高圧管に高圧水を供給しながら、該可撓高圧管を送込むことにより、剥し落とされた老廃物が洗浄・排出され、ＰＥ給水管は再生される。また、上記操作の際、減圧筒を介して、送込みローラーによって給水管内に可撓回転軸および可撓高圧管が送込み・引き抜かれるので漏水を最小限にすることができ、操作が容易になり、老廃物を含む汚水は排出管を経て排出される。
【図面の簡単な説明】
【図１】敷設ＰＥ給水管の断面図
【図２】排出管付き減圧筒の取付け説明図
【図３】送込みローラーの取付け説明図
【図４】排出管付き減圧筒の説明図
【図５】送込みローラーの（ａ）正面図，（ｂ）平面図
【図６】（ａ）回転ブラシ付き可撓回転軸のＰＥ給水管への送込み説明図
（ｂ）回転ブラシ付き可撓回転軸をＰＥ給水管の分岐点まで送込んだ状態図
【図７】（ａ）回転ブラシの外径説明図
（ｂ）回転ブラシの斜視図
【図８】（ａ）回転ノズル付き可撓高圧管のＰＥ給水管への送込み説明図（その１）
（ｂ）回転ノズル付き可撓高圧管のＰＥ給水管への送込み説明図（その２）
【図９】（ａ）回転ノズルによるＰＥ給水管内の老廃物除去説明図
（ｂ）回転ノズルの縦断面図
（ｃ）（ｂ）のＡ−Ａ矢視図
【符号の説明】
１０  配水管
１１  ＰＥ給水管
１２  給水先
１３  枡
１４  止水栓
１５  水道メーター
１６  排出管
１７  減圧筒
１７ｎ    ニップル
１８  送込みローラー
１９  取付け手段
２０  ブラケット
２１  ピン
２２  アーム
２３  ピンチローラー
２４  挟持力調整手段
２５  ハンドル
２６  ピアノ線
２７  分水栓
２８  回転ブラシ
２９  可撓回転軸
３０  回転ノズル
３１  可撓高圧管
３２  基体
３３  段部（基体の）
３４  螺旋状噴出孔
３５  筒体
３６  中心軸
３７  段部（座金の）
３８  座金
３９  ダブルナット
４０  老廃物
【図１】
2004267895.tif 000003
【図２】
2004267895.tif 000004
【図３】
2004267895.tif 000005
【図４】
2004267895.tif 000006
【図５】
2004267895.tif 000007
【図６】
2004267895.tif 000008
【図７】
2004267895.tif 000009
【図８】
2004267895.tif 000010
【図９】
2004267895.tif 000011